(57)【特許請求の範囲】
【請求項１】
吸込口及び吹出口を開口した筐体内に送風ファンを配し、筐体の一面に設けた設置部が当接する設置面上に設置される送風装置において、一端にプラグを有して電力を供給する電源コードと、前記筐体の一面に設けられて前記プラグが着脱可能に差し込まれるとともに設置面に対向する端子部と、前記筐体に対して着脱可能な板部と、を備え、
前記設置面に前記設置部及び前記プラグが当接した際に、前記プラグと前記端子部とが導通するとともに、
前記プラグは前記板部に開口する挿通孔を介して前記端子部に差し込まれ、前記板部を前記プラグの脱着によって着脱可能に形成することを特徴とする送風装置。
【請求項２】
帯電粒子を発生する帯電粒子発生素子を備え、前記板部を取り外した際に前記帯電粒子発生素子を着脱できることを特徴とする請求項１に記載の送風装置。
【請求項３】
前記吸込口に対向するフィルタを備え、前記板部を取り外した際に前記フィルタを着脱できることを特徴とする請求項１又は請求項２に記載の送風装置。
【発明の詳細な説明】
【技術分野】
【０００１】
本発明は、卓上型の送風装置に関する。
【背景技術】
【０００２】
従来より卓上型の送風装置は、送風ファンと送風ファンを回転させるモータを内部に配した筐体を備える。筐体には吸込口と吹出口が形成されており、送風ファンが駆動されることによって吸込口から空気が吸い込まれ、吹出口から空気が吹き出される。送風ファンを回転させるためにはモータに電力を供給する必要がある。
【０００３】
電力の供給は電源コードを用いて行われることがある。その場合、電源コードの一端は送風装置に設けられる端子部に接続され、他端は商用電源等の外部電源に接続される。ところで、電源コードの一端と端子部との接続方法としては、マグネット方式や差込方式が考えられる。マグネット方式では電源コードの一端に設けられるマグネットプラグが送風装置に設けたプラグ受けに着脱可能に接続される（特許文献１参照）。差込方式では電源コードの一端に設けられる差込プラグが送風装置に設けたプラグ受けに挿脱可能に接続される。
【先行技術文献】
【特許文献】
【０００４】
【特許文献１】特開２００３−９７８３０号公報
【発明の概要】
【発明が解決しようとする課題】
【０００５】
マグネット方式ではマグネットプラグに人や物が接触することによってマグネットプラグがプラグ受けから脱落するという問題がある。一方、差込方式では接触による脱落は発生しにくいが、差込プラグをしっかりとプラグ受けに差し込まなければ接触不良が生じ、送風装置が正常に動作しないという問題がある。
【０００６】
本発明は、使用時における接触不良の発生を容易に防止可能な送風装置を提供することを目的とする。
【課題を解決するための手段】
【０００７】
上記目的を達成するために本発明は、吸込口及び吹出口を開口した筐体内に送風ファンを配し、筐体の一面に設けた設置部が当接する設置面上に設置される送風装置において、一端にプラグを有して電力を供給する電源コードと、前記筐体の一面に設けられて前記プラグが着脱可能に差し込まれるとともに設置面に対向する端子部と、を備え、前記設置面に前記設置部及び前記プラグが当接した際に、前記プラグと前記端子部とが導通することを特徴としている。
【０００８】
この構成によると、設置面に設置部及びプラグが当接しているときにはプラグと端子部が導通している。設置面に設置部及びプラグが当接していない状態とは、送風装置が不安定な状態で設置面に設置されている状態である。つまり、送風装置が安定的に設置面に設置されているときにはプラグと端子部が導通しているのでプラグと端子部の導通状態を容易に把握することができる。また、プラグの端子部への差し込みが不十分であり、設置面に設置部及びプラグが当接していない状態であっても、筐体に力を加えることによって設置面に設置部及びプラグが当接するようにすることで、プラグと端子部が導通する。従って、プラグに直接触れることなく簡単にプラグと端子部を導通させることができる。
【０００９】
また本発明は、上記構成の送風装置において、前記筐体に対して着脱可能な板部を備え、前記プラグは前記板部に開口する挿通孔を介して前記端子部に差し込まれ、前記板部を前記プラグの脱着によって着脱可能に形成することが望ましい。
【００１０】
この構成によると、筐体に対して着脱可能な板部に開口する挿通孔を介してプラグが端子部に接続されている。また板部をプラグの脱着によって着脱可能に形成するので、板部を筐体から取り外すためにはプラグを端子部から抜く必要がある。つまり板部を取り外したときは送風装置に電力が供給されていないので、使用者が板部を取り外して筐体内部の清掃を行う際に、各種電子部品に接触して感電することがない。
【００１１】
また本発明は、上記構成の送風装置において、帯電粒子を発生する帯電粒子発生素子を備え、前記板部を前記プラグの脱着によって脱着可能に形成するとともに、前記板部を取り外した際に前記帯電粒子発生素子を着脱できることが望ましい。
【００１２】
この構成によると、板部を取り外した際に帯電粒子発生素子を筐体の底面から着脱することができるので、帯電粒子発生素子の交換や清掃を容易に行うことができる。
【００１３】
また本発明は、上記構成の送風装置において、前記吸込口に対向するフィルタを備え、前記板部を前記プラグの脱着によって脱着可能に形成するとともに、前記板部を取り外した際に前記フィルタを着脱できることが望ましい。
【００１４】
この構成によると、板部を取り外した際にフィルタを筐体の底面から着脱することができるので、フィルタの交換や清掃を容易に行うことができる。
【発明の効果】
【００１５】
本発明によると、設置面に設置部及びプラグが当接しているときにはプラグと端子部が導通している。設置面に設置部及びプラグが当接していない状態とは、送風装置が不安定な状態で設置面に設置されている状態である。つまり、送風装置が安定的に設置面に設置されているときにはプラグと端子部が導通しているのでプラグと端子部の導通状態を容易に把握することができる。また、プラグの端子部への差し込みが不十分であり、設置面に設置部及びプラグが当接していない状態であっても、筐体に力を加えることによって設置面に設置部及びプラグが当接するようにすることで、プラグと端子部が導通する。従って、プラグに直接触れることなく簡単にプラグと端子部を導通させることができる。
【図面の簡単な説明】
【００１６】
【図１】本発明の実施形態の送風装置を示す上面図
【図２】本発明の実施形態の送風装置を示す底面図
【図３】本発明の実施形態の送風装置を示す左側面図
【図４】本発明の実施形態の送風装置を示す背面図
【図５】本発明の実施形態の送風装置を示す右側面断面図
【図６】本発明の実施形態の送風装置を示す正面断面図
【図７】本発明の実施形態の送風装置の吹出口を閉じた状態を示す右側面断面図
【図８】本発明の実施形態の送風装置を示す背面断面図
【図９】本発明の実施形態の送風装置の保持部材及びイオン発生素子を示す斜視図
【図１０】本発明の実施形態の送風装置の底板を取り外した状態を示す右側面断面図
【図１１】本発明の実施形態の送風装置の電源プラグを取り外した状態を示す底面図
【図１２】本発明の実施形態の送風装置の風向板を省いた上面図
【発明を実施するための形態】
【００１７】
以下に本発明の実施形態を図面を参照して説明する。図１、図２、図３、図４は第１実施形態の送風装置の上面図、底面図、左側面図及び背面図を示している。送風装置１は立方体形状の筐体２を備え、筐体２の左側面に吸込口２ａ（図６参照）を開口して上面に吹出口２ｂを開口する。吹出口２ｂは円形に形成され、筐体２に対して上下移動可能に支持された風向板１０が吹出口２ｂに対向配置される。
【００１８】
筐体２の底板３は着脱可能に設けられ、底板３の四隅にゴム脚４が設けられる。これにより、送風装置１を卓上等に設置して使用することができる。また、筐体２の背面には室内の壁面に設けたフックに掛止される掛止孔２ｃが設けられる。これにより、送風装置１を壁面に掛けて使用することもできる。
【００１９】
筐体２の底面の右端部には電源コード５が接続される。詳細を後述するように、電源コード５は一端に設けられるプラグ６を底板３に設けた挿通孔３ａ（図６参照）を介して端子部３５（図６参照）に差し込んで接続される。電源コード５の他端を商用電源やＵＳＢ端子等の電力供給源に接続して送風装置１に電力を供給する。
【００２０】
図５、図６は送風装置１の右側面断面図及び正面断面図を示している。風向板１０は吹出口２ｂと略同径の円形の平面形状を有し、下面１０ａが傾斜面から成る略円錐台形状に形成される。風向板１０の中心部にはスリーブ１１が取り付けられる。スリーブ１１は筐体２に配した軸部１７に嵌合し、風向板１０と一体に筐体２に対して上下移動可能になっている。軸部１７は後述する導光板２５の中央に開口する貫通孔２５ｄを貫通し、筐体２内に配したダクト部材３２に支持される。
【００２１】
軸部１７には第１、第２係止爪１７ａ、１７ｂが上下方向に並設されるとともに、風向板１０を上方に付勢する圧縮バネ１６が設けられる。スリーブ１１内には第１、第２係止爪１７ａ、１７ｂに係合する係合部材１２が取り付けられる。ダクト部材３２の上面には電源スイッチ１８が配される。
【００２２】
圧縮バネ１６により付勢される風向板１０は第１、第２係止爪１７ａ、１７ｂと係合部材１２との係合によって吹出口２ｂを開放する位置と閉じる位置との間を移動する。即ち、同図に示すように係合部材１２が第２係止爪１７ｂに係合すると、吹出口２ｂが開放される。この時、電源スイッチ１８はオン状態となる。
【００２３】
吹出口２ｂの開放状態から風向板１０を押下して図７に示すように係合部材１２が第１係止爪１７ａに係合すると、風向板１０により吹出口２ｂが閉じられる。この時、スリーブ１１が電源スイッチ１８に接触して電源スイッチ１８がオフ状態となる。また、吹出口２ｂを閉じた状態から風向板１０を押下すると、図５に示すように風向板１０がポップアップする。
【００２４】
これにより、風向板１０の上下動によって電源スイッチ１８がオンオフされ、電源スイッチ１８のオン状態で後述する送風ファン３０、イオン発生素子４０及びＬＥＤ２６が駆動される。また、吹出口２ｂが開放されると、吹出口２ｂと略同径の風向板１０によって吹出口２ｂと風向板１０との間から気流を放射状に送出させる環状の流出部８が形成される。
【００２５】
ダクト部材３２は筐体２内の下部に配され、一端の開口面を吸込口２ａに面した箱状に形成される。ダクト部材３２内にはケーシング３０ａにより覆われたシロッコファンから成る送風ファン３０が配される。送風ファン３０はダクト部材３２の右側壁から成るファン保持部３２ａにネジ止めして保持される。
【００２６】
ケーシング３０ａには軸方向の両面に吸気口３０ｂ、３０ｃが開口し、周方向の端面に排気口３０ｄが開口する。ダクト部材３２によって吸込口２ａと一方の吸気口３０ｂとを連結する吸込ダクト２０が形成される。また、吸込口２ａには筐体２の底面から着脱可能なフィルタ２３が配される。
【００２７】
ダクト部材３２の右側壁には吸気口３０ｃに対向する開口部３２ｂが開口し、背面側の右端部には切欠き部３２ｄ（図８参照）が設けられる。また、ダクト部材３２の背面側の底部には面取り３２ｃ（図８参照）が施される。ダクト部材３２の右方には端子部３５等の電子部品を実装した回路基板３４が立設して配置される。
【００２８】
送風ファンの駆動によって吸込口２ａから吸込ダクト２０に流入する気流は矢印Ａ１に示すように吸気口３２ｂに導かれる。また、一部の気流は図８の背面断面図に矢印Ａ２で示すように、切欠き部３２ｄを介してダクト部材３２から流出して下方に流通し、面取り３２ｃの外側を左方に流通する。そして、該気流は回路基板３４とダクト保持部３２ａとの間を上方に流通し、開口部３２ｂを介して吸気口３２ｃに導かれる。
【００２９】
これにより、複数の経路を介して送風ファン３０の軸方向の両面から気流を吸い込み、送風効率を向上することができる。また、回路基板３４に実装される電子部品を気流によって冷却することができる。この時、開口部３２ｂは送風ファン３０の中心に対して上方に設けられ、立設した回路基板３４の上部に対向する。これにより、下方から開口部３２ｂに向かって流通する気流による回路基板３４の冷却効果を向上することができる。
【００３０】
送風ファン３０の排気口３０ｄの前方には第１吹出ダクト２１が設けられる。第１吹出ダクト２１の上方には吹出口２ｂを開口する第２吹出ダクト２２が設けられる。第１吹出ダクト２１と第２吹出ダクト２２とは後述する導光板２５の連通口２５ｂを介して連通する。
【００３１】
第１吹出ダクト２１の上部はダクト部材３２により形成され、下部はイオン発生素子４０を保持して排気口３０ｄに隣接する保持部材４５により形成される。図９はイオン発生素子４０を保持した保持部材４５の斜視図を示している。保持部材４５は排気口３０ｄと左右方向の幅が略等しい開口部４５ｂを後端面に開口して左右方向に流路を拡幅した屈曲部４５ａを有している。
【００３２】
屈曲部４５ａの前壁４５ｃは送風ファン３０のケーシング３０ａの下端に連続した曲面により形成され、排気口３０ｄに傾斜して対向する。これにより、屈曲部４５ａを介して気流が屈曲して上方に導かれる。この時、排気口３０ｂから送出される気流は屈曲部４５ａの前壁４５ｃに衝突し、動圧を静圧に変換されて減速する。また、屈曲部４５ａによる流路の拡幅によっても動圧が静圧に変換され、気流が更に減速する。従って、屈曲部４５ａは気流の動圧を静圧に変換する静圧変換部を構成する。
【００３３】
また、屈曲部４５ａの前壁４５ｃには開口部４５ｂに対向した中央部に上下に延びた仕切板４５ｄが設けられる。
【００３４】
イオン発生素子４０は第１吹出ダクト２１に面して左右方向に並設される一対の針状の放電電極４１を有している。放電電極４１は屈曲部４５ａの直上に配され、両放電電極４１間の距離は開口部４５ｂの幅よりも広く形成される。
【００３５】
イオン発生素子４０の放電電極４１は交流波形またはインパルス波形から成る高電圧の印加によってコロナ放電が発生する。一方の放電電極４１には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンの正イオンが放出される。
【００３６】
他方の放電電極４１には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンの負イオンが放出される。
【００３７】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、正イオン及び負イオンを吹出口２ｂから室内に送出することにより、室内の殺菌及び臭い除去を行うことができる。
【００３８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３９】
一対の放電電極４１を気流に垂直な左右方向に並設することにより、正イオンと負イオンとの衝突による消滅を抑制してイオンの送出量を増加させることができる。
【００４０】
また、放電電極４１が屈曲部４２ａの直上に配されるため、屈曲部４２ａにより静圧に変換して減速された気流に放電電極４１で発生したイオンが含まれる。これにより、放電電極４１で発生したイオンを確実に気流によって搬送することができ、イオンの送出量を増加させることができる。
【００４１】
この時、両放電電極４１間の距離が開口部４５ｂの幅よりも大きく、放電電極４１が開口部４５ｂの両側方に配置されるため、より確実に減速した気流にイオンを含ませることができる。また、仕切板４５ｄによって各放電電極４１の周囲を流通する気流の流量を略同量にすることができ、正イオン及び負イオンを均一に含むことができる。
【００４２】
保持部材４５は図１０に示すように、底板３を取り外して筐体２の底面から着脱することができる。これにより、イオン発生素子４０を容易に交換することができる。加えて、保持部材４５の脱着によって露出する排気口３０ｄを介して送風ファン３０の羽根３０ｅ（図６参照）を清掃することができる。また、フィルタ２３（図６参照）も同様に底板３を取り外して筐体２の底面から着脱することができ、容易にフィルタ２３の清掃を行うことができる。
【００４３】
尚、イオン発生素子４０は上面に接続端子４０ａを有している。イオン発生素子４０を保持部材４５とともに下方から装着した際に、筐体２内に設けた端子部４２に接続端子４０ａが接触してイオン発生素子４０に電力供給可能になる。このため、端子部４２にイオン発生素子４０の重量が加重されず、重量が加重され続けることによる端子部４２の故障を防止することができる。
【００４４】
筐体２の底板３は図１１の底面図に示すように電源コード５のプラグ６（図６参照）が取り外された状態で、取り外し可能になっている。これにより、底板３を取り外した際に通電されることによる感電を防止することができる。
【００４５】
図５、図６において、第１吹出ダクト２１の上面には導光板２５が水平に配される。導光板２５はアクリル等の透明部材により平板状に形成され、後端面の入射面２５ａに対向してＬＥＤ２６（光源）が配される。導光板２５の下面には反射シート（不図示）が配される。
【００４６】
ＬＥＤ２６から出射された光は入射面２５ａから導光板２５に入射して導光し、上下面に臨界角よりも小さい入射角で入射した光が出射される。この時、導光板２５の下面から出射される光は反射シートで上方に反射する。これにより、導光板２５の上面（出射面）から吹出口２ｂに向けて光が出射される。
【００４７】
導光板２５の中央部には軸部１７が貫通する貫通孔２５ｄが開口し、貫通孔２５ｄに対して入射面２５ａと反対側の前部には連通口２５ｂが開口する。第１吹出ダクト２１は筐体２の前部に配されるため、第１吹出ダクト２１に面した連通口２５ｂは吹出口２ｂに対して偏心した前部に設けられる。
【００４８】
導光板２５の上方には第２吹出ダクト２２が設けられる。第２吹出ダクト２２は上面に吹出口２ｂを有し、吹出口２ｂと同心の筒状に形成される。第２吹出ダクト２２の内壁２２ａの縦断面は下方が狭い曲線状に形成される。
【００４９】
図１２は風向板１０を省いた筐体２の上面図を示している。導光板２５の連通口２５ｂには第１吹出ダクト２１を上昇する気流を前方に導く風向可変部２５ｃが下方に突出して格子状に設けられる。第２吹出ダクト２２の前部には内壁２２ａに凹設される凹部２２ｂが設けられる。凹部２２ｂの内面は縦断面が直線の円錐面から成り、凹部２２ｂの下端は連通口２５ｂに沿って形成されるとともに上端は吹出口２ｂの周縁の内側に形成される。
【００５０】
上記構成の送風装置１において、風向板１０をポップアップして吹出口２ｂが開放されると、送風ファン３０、イオン発生素子４０及びＬＥＤ２６が駆動される。吸込口２ａから筐体２内に流入する気流の塵埃はフィルタ２３により捕集され、矢印Ａ１に示すように吸込ダクト２３を流通して吸気口３０ｂから送風ファン３０に導かれる。また、一部の気流が矢印Ａ２に示すようにダクト部材３２の外側を流通して吸気口３０ｃから送風ファン３０に導かれる。
【００５１】
送風ファン３０の排気口３０ｄから送出された気流は矢印Ｂ１（図５参照）に示すように第１吹出ダクト２１を上昇する。この時、イオン発生素子４０で発生したイオンが気流に含まれる。イオンを含む気流は連通口２５ｂを介して第２吹出ダクト２２に流入して矢印Ｂ２（図５参照）に示すように上昇し、流出部８から矢印Ｂ３（図５参照）に示すように放射状に送出される。
【００５２】
この時、筐体２の前部に配した連通口２５ｂから第２吹出ダクト２２に気流が流入するとともに、風向可変部２５ｃにより気流が前方に案内される。また、凹部２２ｂによって第２吹出ダクト２２と風向板１０との間の前部の流路幅が広げられる。これらにより、送風装置１の前方に周囲よりも多くの気流が送出される。
【００５３】
従って、送風装置１の前方正面に面した使用者の頭部等に向けてイオンを含む多くの気流が送出され、使用者に清涼感を与えるとともに使用者近傍の殺菌等を行うことができる。また、送風装置１の側方及び後方に送出したイオンを含む気流によって周囲の殺菌や空気の循環等を行うことができる。
【００５４】
また、ＬＥＤ２６の駆動によって導光板２５を導光する光は吹出口２ｂに向けて出射され、風向板１０の下面１０ａで放射状に反射する。これにより、送風装置１の周囲の間接照明を行うことができる。この時、連通口２５ｂによって導光板２５の前部から出射される光が少なくなる。このため、送風装置１の前方正面に面した使用者のまぶしさを低減することができる。また、連通口２５ｂが軸部１７に対して入射面２５ａと反対側に配置されるため、導光板２５の前部から出射される光をより少なくすることができる。
【００５５】
ここでプラグ６と端子部３５の電気的な接続関係についてさらに説明を行う。上述したように底板３の四隅にはゴム脚４が設けられている。四つのゴム脚４は送風装置１の使用時において卓上等の設置面５０に当接して送風装置１を安定的に支持する設置部を構成する。
【００５６】
プラグ６は端子部３５に差し込まれることによって電気的に接続される。一方で、プラグ６は所定の長さを有しており、端子部３５への差込具合によっては接触不良等により電気的に接続されないことがある。そこで本実施形態では少なくとも底板３の四隅に設けられるゴム脚４及びプラグ６が設置面５０に当接しているときに、プラグ６と端子部３５が電気的に接続（導通）されることとする。
【００５７】
プラグ６が端子部３５にしっかりと差し込まれていない場合を例にさらに説明する。プラグ６が端子部３５にしっかり差し込まれていない状態（つまりプラグ６と端子部３５が導通していない状態）で送風装置１を設置面５０に設置すると、全てのゴム脚４と設置面５０が当接しない。言い換えれば１以上のゴム脚４が浮いた状態になる。そのような状態で全てのゴム脚４と設置面５０が当接するように筐体２に力を加えることでプラグ６が端子部３５に差し込まれる。これによってプラグ６と端子部３５が導通する。
【００５８】
本実施形態によれば、設置面５０にゴム脚４及びプラグ６が当接しているときにはプラグ６と端子部３５が導通している。つまり、送風装置１が安定的に設置面５０に設置されているときにはプラグ６と端子部３５が導通しているのでプラグ６と端子部３５の導通状態を容易に把握することができる。また、プラグ６の端子部３５への差し込みが不十分であっても、プラグ６に直接触れることなく簡単にプラグ６と端子部３５を導通させることができる。
【００５９】
また、筐体２に対して着脱可能な底板３に開口する挿通孔３ａを介してプラグ６が端子部３５に接続されている。また、底板３をプラグ６の脱着によって着脱可能に形成するので、底板３を筐体２から取り外すためにはプラグ６を端子部３５から抜く必要がある。つまり底板３を取り外したときは送風装置１に電力が供給されていないので、使用者が底板３を取り外して筐体２内部の清掃やメンテナンスを行う際に、各種電子部品に接触して感電することがない。
【００６０】
また、底板３を取り外した際にイオン発生素子４０及び保持部材４５を筐体２の底面から着脱することができるので、イオン発生素子４０及び保持部材４５の交換や清掃を容易に行うことができる。
【００６１】
また、底板３を取り外した際にフィルタ２３を筐体２の底面から着脱することができるので、フィルタ２３の交換や清掃を容易に行うことができる。
【００６２】
なお、本実施形態において底板３の四隅にはゴム脚４が設けられているが、ゴム脚４を有しないこととしてもよい。その場合には、底板３に設けられる設置部及びプラグ６が設置面５０に当接した際にプラグ６と端子部３５が導通することとすればよい。なお、底板３に設けられる設置部は、設置面５０との対向面の全部であってもよいし、一部であってもよい。すなわち、送風装置１の使用時において設置面５０に当接して送風装置１を安定的に支持するものであればよい。
【００６３】
また、底板３に挿通孔３ａを設け、挿通孔３ａを介してプラグ６を差し込むことで端子部３５に接続されることとしたが、これに限られない。すなわち送風装置１は上述したように壁面に掛けて使用することが可能である。従って、ゴム脚（設置部）及び挿通孔を筐体２の背面に形成し、背面に形成される挿通孔を介してプラグ６を背面に設けられる端子部（不図示）に差し込むこととしてもよい。そして、ゴム脚（設置部）とプラグ６が壁面に当接した際にプラグ６と背面に設けられる端子部が導通することとすればよい。この場合には背板が筐体２に対して着脱可能となる。つまり、プラグ６が差し込まれる挿通孔が設けられる板部を筐体２に対して着脱可能とすればよい。
【００６４】
なお、本実施形態において室内の壁面に設けたフックに掛止する掛止孔２ｃを背面に設けることとしているがこれに限られるものではなく、送風装置１の機能を損ねない範囲であれば筐体２のどの位置に設けてもよい。例えば底板３に掛止孔を設けることとしてもよい。
【００６５】
また、イオン発生素子４０によって空気中の水分と結合したイオンを含む気流を送出しているが、他の帯電粒子を送出してもよい。例えば、帯電粒子として帯電微粒子水を送出してもよい。具体的には、静電霧化装置によってラジカル成分を含む帯電微粒子水を生成することができる。即ち、静電霧化装置に設けた放電電極をペルチェ素子による冷却等によって放電電極の表面に結露水を生じさせる。そして、放電電極にマイナスの高電圧を印加すると、結露水から帯電微粒子水が生成される。
【産業上の利用可能性】
【００６６】
本発明は、卓上の送風装置に利用することができる。
【符号の説明】
【００６７】
１    送風装置
２    筐体
２ａ  吸込口
２ｂ  吹出口
３    底板
３ａ  挿通孔
４    ゴム脚
５    電源コード
６    プラグ
８    流出部
１０    風向板
１１    スリーブ
１２    係合部材
１６    圧縮バネ
１７    軸部
１８    電源スイッチ
２０    吸込ダクト
２１    第１吹出ダクト
２２    第２吹出ダクト
２２ｂ  凹部
２３    フィルタ
２５    導光板
２５ａ  入射面
２５ｂ  連通口
２５ｃ  風向可変部
２６    ＬＥＤ
３０    送風ファン
３０ａ  ケーシング
３０ｂ、３０ｃ  吸気口
３０ｄ  排気口
３２    ダクト部材
３２ａ  ファン保持部
３２ｂ  開口部
３４    回路基板
３５    端子部
４０    イオン発生素子
４１    放電電極
４２    端子部
４５    保持部材
４５ａ  屈曲部
【図１】
0006009820.tif 000002
【図２】
0006009820.tif 000003
【図３】
0006009820.tif 000004
【図４】
0006009820.tif 000005
【図５】
0006009820.tif 000006
【図６】
0006009820.tif 000007
【図７】
0006009820.tif 000008
【図８】
0006009820.tif 000009
【図９】
0006009820.tif 000010
【図１０】
0006009820.tif 000011
【図１１】
0006009820.tif 000012
【図１２】
0006009820.tif 000013